(57)【要約】【課題】輻輳を回避するための処理の基地局における負荷を抑えることができる移動局装置【解決手段】周辺セルの規制状態を取得する周辺規制状態取得部と、前記取得した規制状態に基づき選択した周辺セルを対象とするセルサーチを行うセルサーチ処理部と、前記セルサーチの結果に基づき、移動先のセルを選択するセル選択部とを具備することを特徴とする。【選択図】図１
2014011548.tif 000002
【特許請求の範囲】
【請求項１】
周辺セルの規制状態を取得する周辺規制状態取得部と、
前記取得した規制状態に基づき選択した周辺セルを対象とするセルサーチを行うセルサーチ処理部と、
前記セルサーチの結果に基づき、移動先のセルを選択するセル選択部と
を具備することを特徴とする移動局装置。
【請求項２】
前記周辺規制状態取得部は、在圏中のセルの報知情報を受信し、該報知情報から前記周辺セルの規制状態を取得することを特徴とする請求項１に記載の移動局装置。
【請求項３】
前記セルサーチ処理部は、当該移動局装置が行おうとしている通信、あるいは、当該移動局装置が現在行っている通信が規制対象であるか否を、前記規制状態に基づき、前記周辺セルの各々について判定し、前記通信が規制対象でないと判定した周辺セルを対象とするセルサーチを行うことを特徴とする請求項１に記載の移動局装置。
【請求項４】
前記セルサーチ処理部は、当該移動局装置がこれから行おうとしている通信が、在圏中のセルにおいて規制対象であるとき、あるいは、当該移動局装置が現在行っている通信が、在圏中のセルにおいて規制対象となったときに、前記セルサーチを行うことを特徴とする請求項３に記載の移動局装置。
【請求項５】
周辺セルの規制状態を取得する周辺規制状態取得部と、
前記取得した周辺セルの規制状態を示す情報を含む報知情報を生成する報知情報生成部と、
前記生成した報知情報を、無線送信する無線送信部と
を具備することを特徴とする基地局装置。
【請求項６】
当該基地局装置の規制状態を示す情報を他装置に送信する規制状態通知部を具備し、
前記周辺規制状態取得部は、他装置から該周辺セルの規制状態を示す情報を受信すること
を特徴とする請求項５に記載の基地局装置。
【請求項７】
周辺セルの規制状態を取得する第１の過程と、
前記取得した規制状態に基づき選択した周辺セルを対象とするセルサーチを行う第２の過程と、
前記セルサーチの結果に基づき、移動先のセルを選択する第３の過程と
を有することを特徴とする通信方法。  
【請求項８】
周辺セルの規制状態を取得する第１の過程と、
前記取得した周辺セルの規制状態を示す情報を含む報知情報を生成する第２の過程と、
前記生成した報知情報を、無線送信する第３の過程と
を有することを特徴とする通信方法。
【請求項９】
移動局装置のコンピュータを、
周辺セルの規制状態を取得する周辺規制状態取得部、
前記取得した規制状態に基づき選択した周辺セルを対象とするセルサーチを行うセルサーチ処理部、
前記セルサーチの結果に基づき、移動先のセルを選択するセル選択部
として機能させるためのプログラム。
【請求項１０】
基地局装置のコンピュータを、
周辺セルの規制状態を取得する周辺規制状態取得部、
前記取得した周辺セルの規制状態を示す情報を含む報知情報を生成する報知情報生成部、
前記生成した報知情報を、無線送信させる無線送信部
として機能させるためのプログラム。
【発明の詳細な説明】
【技術分野】
【０００１】
本発明は、移動局装置、基地局装置、通信方法およびプログラムに関する。
【背景技術】
【０００２】
端末からの特定の基地局へのアクセスの集中による輻輳への対策としては、例えば、ＬＴＥ−Ａ（Long Term Evolution-Advanced）の規格に開示されている技術がある（例えば、非特許文献１）。この技術では、端末のアクセスクラスに応じて、基地局へのアクセスを制限して基地局にアクセスできる端末の数を減らすことで、輻輳を回避している。しかしながら、このアクセスクラスに応じた制限により輻輳を回避する技術では、基地局にアクセスができない端末を生じさせてしまうと言う問題が発生する。
【０００３】
このような問題点を回避する輻輳対策として、特許文献１に開示されている方法がある。この方法では、サービスセルが複数の異なるＲＡＴ（Radio Access Technology：無線通信接続技術）で重複使用されている場合には、端末のアクセスの対象を、１種類のＲＡＴの基地局だけでなく、異なる種類のＲＡＴの基地局にも拡大して、アクセスの対象を分散させる。さらに、異なるＲＡＴの基地局間で、該サービスセルでの各ＲＡＴの負荷情報（Resource Status）の交換を行い、１種類のＲＡＴの基地局にアクセスが集中しないようにすることで、輻輳を回避している。
【先行技術文献】
【特許文献】
【０００４】
【特許文献１】特開２０１１−２３４３１５号公報
【非特許文献】
【０００５】
【非特許文献１】“Ｃｏｎｓｉｄｅｒａｔｉｏｎ  ｏｎ  ＥＡＢ  ｃｏｎｔｅｎｔ  ｆｏｒ  ＬＴＥ”、３ＧＰＰ  Ｒ２−１１５７９９
【発明の概要】
【発明が解決しようとする課題】
【０００６】
しかしながら、特許文献１の技術においては、端末の遷移先の決定は基地局側に委ねられている。このため、基地局側は、輻輳による高負荷状態であるにもかかわらず、セル内の複数(大量)の端末の中からどの端末をどのセルに遷移させるのかを決定する作業を行うという負荷がさらに生じてしまうという問題がある。
【０００７】
本発明は、このような事情に鑑みてなされたもので、その目的は、輻輳を回避するための処理の基地局における負荷を抑えることができる移動局装置、基地局装置、通信方法およびプログラムを提供することにある。
【課題を解決するための手段】
【０００８】
（１）この発明は上述した課題を解決するためになされたもので、本発明の一態様は、周辺セルの規制状態を取得する周辺規制状態取得部と、前記取得した規制状態に基づき選択した周辺セルを対象とするセルサーチを行うセルサーチ処理部と、前記セルサーチの結果に基づき、移動先のセルを選択するセル選択部とを具備することを特徴とする移動局装置である。
【０００９】
（２）また、本発明の他の態様は、上述の移動局装置であって、前記周辺規制状態取得部は、在圏中のセルの報知情報を受信し、該報知情報から前記周辺セルの規制状態を取得することを特徴とする。
【００１０】
（３）また、本発明の他の態様は、上述の移動局装置であって、前記セルサーチ処理部は、当該移動局装置が行おうとしている通信、あるいは、当該移動局装置が現在行っている通信が規制対象であるか否を、前記規制状態に基づき、前記周辺セルの各々について判定し、前記通信が規制対象でないと判定した周辺セルを対象とするセルサーチを行うことを特徴とする。
【００１１】
（４）また、本発明の他の態様は、上述の移動局装置であって、前記セルサーチ処理部は、当該移動局装置がこれから行おうとしている通信が、在圏中のセルにおいて規制対象であるとき、あるいは、当該移動局装置が現在行っている通信が、在圏中のセルにおいて規制対象となったときに、前記セルサーチを行うことを特徴とする。
【００１２】
（５）また、本発明の他の態様は、周辺セルの規制状態を取得する周辺規制状態取得部と、前記取得した周辺セルの規制状態を示す情報を含む報知情報を生成する報知情報生成部と、前記生成した報知情報を、無線送信する無線送信部とを具備することを特徴とする基地局装置である。
【００１３】
（６）また、本発明の他の態様は、上述の基地局装置であって、当該基地局装置の規制状態を示す情報を他装置に送信する規制状態通知部を具備し、前記周辺規制状態取得部は、他装置から該周辺セルの規制状態を示す情報を受信することを特徴とする。
【００１４】
（７）また、本発明の他の態様は、周辺セルの規制状態を取得する第１の過程と、前記取得した規制状態に基づき選択した周辺セルを対象とするセルサーチを行う第２の過程と、前記セルサーチの結果に基づき、移動先のセルを選択する第３の過程とを有することを特徴とする通信方法である。  
【００１５】
（８）また、本発明の他の態様は、周辺セルの規制状態を取得する第１の過程と、前記取得した周辺セルの規制状態を示す情報を含む報知情報を生成する第２の過程と、前記生成した報知情報を、無線送信する第３の過程とを有することを特徴とする通信方法である。
【００１６】
（９）また、本発明の他の態様は、移動局装置のコンピュータを、周辺セルの規制状態を取得する周辺規制状態取得部、前記取得した規制状態に基づき選択した周辺セルを対象とするセルサーチを行うセルサーチ処理部、前記セルサーチの結果に基づき、移動先のセルを選択するセル選択部として機能させるためのプログラムである。
【００１７】
（１０）また、本発明の他の態様は、基地局装置のコンピュータを、周辺セルの規制状態を取得する周辺規制状態取得部、前記取得した周辺セルの規制状態を示す情報を含む報知情報を生成する報知情報生成部、前記生成した報知情報を、無線送信させる無線送信部として機能させるためのプログラムである。
【発明の効果】
【００１８】
この発明によれば、輻輳を回避するための処理の基地局における負荷を抑えることができる。
【図面の簡単な説明】
【００１９】
【図１】この発明の一実施形態による通信システム１００の構成を示す概略ブロック図である。
【図２】同実施形態におけるｅＮＢ１０２ａの構成を示す概略ブロック図である。
【図３】同実施形態におけるＮｏｄｅＢ１０６ａの構成を示す概略ブロック図である。
【図４】同実施形態におけるＵＥ１０７の構成を示す概略ブロック図である。
【図５】報知情報における周辺セル情報のフォーマット例を示す図である。
【図６】ＩｎｔｒａＦｒｅｑＮｅｉｇｈＣｅｌｌＩｎｆｏ型に含める規制状態を示す情報のフォーマット例を示す図である。
【図７】ＩｎｔｒａＦｒｅｑＮｅｉｇｈＣｅｌｌＩｎｆｏ型に含める規制状態を示す情報の別のフォーマット例を示す図である。
【図８】ＡＣ−ＢＡＲＲＩＮＧＣｏｎｆｉｇ型のフォーマットを示す図である。
【図９】同実施形態のおける規制状態を示す情報を含む周辺セル情報のフォーマット例を示す図である。
【図１０】同実施形態における通信システム１００の動作を説明するシーケンス図である。
【図１１】同実施形態における通信システム１００の動作を説明する別のシーケンス図である。
【発明を実施するための形態】
【００２０】
以下、図面を参照して、本発明の実施の形態について説明する。図１は、この発明の一実施形態による通信システム１００の構成を示す概略ブロック図である。図１に示すように、通信システム１００は、ＭＭＥ１０１、ｅＮＢ１０２ａ、１０２ｂ、ＳＧＳＮ１０３、ＭＳＣ／ＶＬＲ１０４、ＲＮＣ１０５ａ、１０５ｂ、ＮｏｄｅＢ１０６ａ、１０６ｂ、ＵＥ１０７を含んで構成される。通信システム１００は、Ｅ−ＵＴＲＡＮ（Evolved Universal Terrestrial Radio Access Network）と、Ｅ−ＵＴＲＡＮを収容するモバイルネットワークと、ＵＴＲＡＮ（UMTS（Universal Mobile Telecommunications Network）Terrestrial Radio Access Network）と、ＵＴＲＡＮを収容するコアネットワークとを含む。また、モバイルネットワークと、コアネットワークとは通信可能に接続されている。
【００２１】
ＭＭＥ１０１は、移動管理装置（Mobile Management Entity）であり、モバイルネットワークに配置されている。ＭＭＥ１０１は、移動局装置（ＵＥ；User Equipment）が、いずれの基地局（ｅＮＢ；E-UTRAN Node B）に在圏しているかを管理する。ｅＮＢ１０２ａ、１０２ｂは、無線基地局装置（ｅＮＢ；E-UTRAN Node B）であり、Ｅ−ＵＴＲＡＮに配置されている。ｅＮＢ１０２ａ、１０２ｂは、ＬＴＥ−Ａ規格に準拠したＲＡＴ（Radio Access Technology；無線通信接続技術）を用いて、ＵＥ１０７と無線通信する。また、ｅＮＢ１０２ａと、ｅＮＢ１０２ｂとの間は、Ｘ２インターフェースにより通信可能に接続されている。
【００２２】
ＳＧＳＮ１０３は、パケット交換機（ＳＧＳＮ；Serving General packet radio service Support Node）であり、コアネットワークに配置されている。ＭＳＣ／ＶＬＲ１０４は、回線交換機およびロケーションレジスタであり、コアネットワークに配置されている。ＲＮＣ１０５ａ、１０５ｂは、無線回線制御局（Radio Network Controller）であり、ＵＴＲＡＮに配置されている。また、ＮｏｄｅＢ１０６ａ、１０６ｂは、無線基地局装置（UTRAN Node B）であり、ＵＴＲＡＮに配置されている。ＮｏｄｅＢ１０６ａ、１０６ｂは、Ｗ−ＣＤＭＡ規格に準拠したＲＡＴ（Radio Access Technology；無線通信接続技術）を用いて、ＵＥ１０７と無線通信する。
【００２３】
また、ＵＥ１０７は、移動局装置であり、ＬＴＥ−Ａ規格に準拠したＲＡＴと、Ｗ−ＣＤＭＡ規格に準拠したＲＡＴとの双方に対応している。また、図１において、セルＣＥａは、ｅＮＢ１０２ａのセルである。セルＣＥｂは、ｅＮＢ１０２ｂ配下のセルである。セルＣＵａは、ＮｏｄｅＢ１０６ａ配下のセルである。セルＣＵｂは、ＮｏｄｅＢ１０６ｂ配下のセルである。セルＣＥａ、セルＣＥｂ、セルＣＵａ、セルＣＵｂは、互いに地理的に重畳するように配置されている。そのため、セルＣＥａ、セルＣＥｂ、セルＣＵａは、セルＣＵｂの周辺セルに含まれる。同様に、セルＣＥａ、セルＣＥｂ、セルＣＵｂは、セルＣＵａの周辺セルに含まれる。セルＣＥａ、セルＣＵａ、セルＣＵｂは、セルＣＥｂの周辺セルに含まれる。セルＣＥｂ、セルＣＵａ、セルＣＵｂは、セルＣＥａの周辺セルに含まれる。
【００２４】
図２は、ｅＮＢ１０２ａの構成を示す概略ブロック図である。ｅＮＢ１０２ｂは、ｅＮＢ１０２ａと同様の構成であるので、説明を省略する。ｅＮＢ１０２ａは、通信部１２０、周辺セル情報記憶部１２１、周辺セル管理部１２２、ページング信号生成部１２３、報知情報生成部１２４、規制管理部１２５、位置登録処理部１２６、ユーザデータ転送部１２７、ＬＴＥ−Ａ無線送信部１２８、ＬＴＥ−Ａ無線受信部１２９を含んで構成される。
【００２５】
通信部１２０は、Ｅ−ＵＴＲＡＮに配置された他の無線基地局（ここでは、ｅＮＢ１０２ｂ）およびＭＭＥ１０１と通信する。なお、通信部１２０は、Ｅ−ＵＴＲＡＮに配置された他の無線基地局と通信するときは、Ｘ２インターフェースを用いてもよい。周辺セル情報記憶部１２１は、当該無線基地局の周辺セル情報を記憶する。この周辺セル記憶情報には、周辺セル各々のセルＩＤと、周波数を示す情報と、規制状態を示す情報とを含む。周辺セル管理部１２２（周辺規制状態取得部）は、通信部１２０が受信した周辺セルの規制状態を示す情報を、周辺セル情報記憶部１２１に記憶させる。そして、周辺セル管理部１２２は、報知情報生成部１２４に対して、新しい報知情報の生成を要求する。なお、通信部１２０は、周辺セルの規制状態を示す情報を、Ｅ−ＵＴＲＡＮに配置された他の無線基地局（ここでは、ｅＮＢ１０２ｂ）またはＭＭＥ１０１から受信する。ページング信号生成部１２３は、報知情報生成部１２４からの要求を受けて、移動局装置に報知情報が更新されたことを通知するページング信号を生成し、ＬＴＥ−Ａ無線送信部１２８に出力する。
【００２６】
報知情報生成部１２４は、周辺セル管理部１２２または規制管理部１２５からの要求を受けて、周辺セル情報記憶部１２１が記憶する周辺セル情報と、規制管理部１２５が管理する当該基地局の規制状態を示す情報とを含む報知情報を生成する。このとき、報知情報生成部１２４は、ページング信号生成部１２３に対して報知情報が更新されたことを通知するページング信号の生成を要求する。報知情報生成部１２４は、生成した報知情報を、定期的にＬＥＴ−Ａ無線送信部１２８に出力する。
【００２７】
規制管理部１２５は、自装置の規制状態を管理する。具体的には、規制管理部１２５は、パケット交換ドメイン（ＰＳ；Packet Switch）におけるアクセスクラスの規制の状態、ＬＴＥ−Ａ規格にて規定されているＥＡＢ（Extended Access Barring）における規制の状態かを管理する。規制管理部１２５（規制状態通知部）は、自装置の規制状態に変化があったときは、通信部１２０を介して、Ｅ−ＵＴＲＡＮに配置された周辺セルの無線基地局（ここでは、ｅＮＢ１０２ｂ）およびＭＭＥ１０１に、新しい規制状態（規制情報変更）を通知する。ＭＭＥ１０１は、この規制情報変更を、ＲＮＣ１０５ａ、１０５ｂには、ＳＧＳＮ１０３、ＭＳＣ／ＶＬＲ１０４を介して通知し、他の基地局（ｅＮＢ１０２ｂ）には、直接通知する。また、規制管理部１２５は、自装置の規制状態に変化があったときは、報知情報生成部１２４に、新しい報知情報の生成を要求する。
【００２８】
位置登録処理部１２６は、ＬＴＥ−Ａ無線受信部１２９が移動局装置から受信した位置登録要求に従い、通信部１２０を介してＭＭＥ１０１と通信して位置登録を行う。ユーザデータ転送部１２７は、通信部１２０が受信したユーザデータを、ＬＴＥ−Ａ無線送信部１２８に出力して、移動局装置に転送する。また、ＬＴＥ−Ａ無線受信部１２９が受信したユーザデータを、通信部１２０に出力して、宛先の装置に転送する。
【００２９】
ＬＴＥ−Ａ無線送信部１２８は、ページング信号生成部１２３が出力したページング信号、報知情報生成部１２４が出力した報知情報、ユーザデータ転送部１２７が出力したユーザデータを、ＬＴＥ−Ａ規格に準拠したＲＡＴを用いて、移動局装置に送信する。ＬＴＥ−Ａ無線受信部１２９は、移動局装置がＬＴＥ−Ａ規格に準拠したＲＡＴを用いて送信したユーザデータや位置登録要求の信号を受信する。
【００３０】
図３は、ＲＮＣ１０５ａおよびＮｏｄｅＢ１０６ａの構成を示す概略ブロック図である。ＲＮＣ１０５ｂは、ＲＮＣ１０５aと同様の構成であり、ＮｏｄｅＢ１０６ｂは、ＮｏｄｅＢ１０６ａと同様の構成であるので、説明を省略する。また、同図において図２の各部に対応する部分には同一の符号（１２１〜１２３、１２４、１２７）を付け、その説明を省略する。ＲＮＣ１０５ａは、通信部１６０、周辺セル情報記憶部１２１、周辺セル管理部１２２、ページング信号生成部１２３、報知情報生成部１２４、規制管理部１６５、位置登録処理部１６６、ユーザデータ転送部１２７を含んで構成される。ＮｏｄｅＢ１０６ａは、ＷＣＤＭＡ無線送信部１６８、ＷＣＤＭＡ無線受信部１６９を含んで構成される。
【００３１】
ＲＮＣ１０５ａの通信部１６０は、ＳＧＳＮ１０３、ＭＳＣ／ＶＬＲ１０４と通信する。なお、通信部１６０は、周辺セルの規制状態を示す情報のうち回線交換ドメイン（ＣＳ；Circuit Switch）に関する情報を、ＳＧＳＮ１０３から受信し、パケット交換ドメイン（ＰＳ；Packet Switch）に関する情報をＭＳＣ／ＶＬＲ１０４から受信する。規制管理部１６５は、自装置の規制状態を管理する。具体的には、規制管理部１６５は、回線交換ドメイン（ＣＳ；Circuit Switch）におけるアクセスクラスの規制の状態、パケット交換ドメイン（ＰＳ；Packet Switch）におけるアクセスクラスの規制の状態を管理する。
【００３２】
規制管理部１６５（規制状態通知部）は、自装置の規制状態に変化があったときは、通信部１６０を介して、回線交換ドメイン（ＣＳ；Circuit Switch）に関する新しい規制状態（規制情報変更）情報をＳＧＳＮ１０３に、パケット交換ドメイン（ＰＳ；Packet Switch）に関する新しい規制状態（規制情報変更）情報をＭＳＣ／ＶＬＲ１０４に通知する。これらの規制情報変更は、ＳＧＳＮ１０３、ＭＳＣ／ＶＬＲ１０４を介し、さらに他のＲＮＣ１０５ｂ、ＭＭＥ１０１などを介して、他の基地局（ｅＮＢ１０２ａ、１０２ｂ、ＮｏｄｅＢ１０６ｂ）に通知される。また、規制管理部１６５は、自装置の規制状態に変化があったときは、報知情報生成部１２４に、新しい報知情報の生成を要求する。
【００３３】
位置登録処理部１６６は、ＷＣＤＭＡ無線受信部１６９が移動局装置から受信した位置登録要求に従い、通信部１６０を介してＳＧＳＮ１０３またはＭＳＣ／ＶＬＲと通信して位置登録を行う。ＷＣＤＭＡ無線送信部１６８は、ページング信号生成部１２３が出力したページング信号、報知情報生成部１２４が出力した報知情報、ユーザデータ転送部１２７が出力したユーザデータを、Ｗ−ＣＤＭＡ規格に準拠したＲＡＴを用いて、移動局装置に送信する。ＷＣＤＭＡ無線受信部１６９は、移動局装置がＷ−ＣＤＭＡ規格に準拠したＲＡＴを用いて送信したユーザデータや位置登録要求の信号を受信する。
【００３４】
図４は、ＵＥ１０７の構成を示す概略ブロック図である。図４に示すように、ＵＥ１０７は、規制状態管理部１７０、アプリ処理部１７１、ユーザデータ処理部１７２、ページング検出部１７３、報知情報抽出部１７４、周辺セル情報記憶部１７５、セルサーチ処理部１７６、セル選択処理部１７７、受信部１７８、送信部１７９を含んで構成される。
【００３５】
規制状態管理部１７０は、在圏中のセルの規制状態を、報知情報抽出部１７４が抽出した規制状態に基づき管理する。アプリ処理部１７１は、通話、Ｗｅｂブラウジング、メール送受信などを行うアプリケーションを実行する。アプリ処理部１７１は、他装置に送信するユーザデータを、ユーザデータ処理部１７２に出力し、他装置から受信したユーザデータをユーザデータ処理部１７２から取得する。
【００３６】
ユーザデータ処理部１７２は、アプリ処理部１７１から受けたユーザデータを、無線送信させるために送信部１７９に出力する。このとき、ユーザデータ処理部１７２は、規制状態管理部１７０から在圏中のセルの規制状態を取得し、該ユーザデータを在圏中のセルに送信できるか否かを判定する。例えば、在圏中のセルが、回線交換ドメインにおいて規制するアクセスクラスを設定しているときは、該ユーザデータが通話のユーザデータである、すなわち回線交換ドメインに対する送信であり、かつ、当該ＵＥ１０７のアクセスクラスが規制対象であれば、送信できないと判定する。あるいは、在圏中のセルがアクセスクラスによる規制をしており、当該ＵＥ１０７のアクセスクラスが規制対象であるときは、ユーザデータを送信できないと判定する。
【００３７】
なお、ユーザデータ処理部１７２は、少なくともユーザデータの送信開始前に、上述の判定を行う。また、ユーザデータ処理部１７２は、該ユーザデータの送信中に、在圏中のセルの規制状態が変わったときにも、同様の判定を行う。ユーザデータ処理部１７２は、該ユーザデータを送信できると判定したときは、そのまま送信部１７９に、該ユーザデータを出力して送信させる。また、該ユーザデータを送信できないと判定したときは、ユーザデータ処理部１７２は、セルサーチ処理部１７６にセルサーチを要求し、セル選択処理部１７７からユーザデータ送信の再開を指示されるまで待機する。なお、ユーザデータ処理部１７２は、該セルサーチの要求とともに、該ユーザデータの送信が周辺セルにて規制対象となるか否かを判定するための規制対象情報をセルサーチ処理部１７６に通知する。
【００３８】
本実施形態では、周辺セルの規制状態として、ＥＡＢを用いたアクセスクラスによる規制と、パケット交換ドメインに対するアクセスクラスによる規制と、回線交換ドメインに対するアクセスクラスによる規制とがある。そのため、規制対象情報としては、該ユーザデータが、パケット交換ドメインに対する送信であるか、回線交換ドメインに対する送信であるかを示す情報と、当該装置のアクセスクラスを示す情報とがある。
【００３９】
ページング検出部１７３は、受信部１７８が受信した信号から、ページング信号を検出する。検出したページング信号が報知情報の更新を示すときは、ページング検出部１７３は、報知情報抽出部１７４に、報知情報の更新を通知する。報知情報抽出部１７４（周辺規制状態取得部）は、受信部１７８が受信した信号から、報知情報を抽出する。さらに、報知情報抽出部１７４は、抽出した報知情報に含まれる周辺セル情報を、周辺セル情報記憶部１７５に記憶させる。また、報知情報抽出部１７４は、抽出した報知情報に含まれる在圏中のセルの規制状態を示す情報を、規制状態管理部１７０に出力する。
【００４０】
なお、報知情報抽出部１７４は、ページング検出部１７３から報知情報の更新を通知されたときと、セル選択処理部１７７から在圏するセルの更新が通知されたときに、報知情報の抽出を行う。なお、規制状態が変更されても、基地局がページング信号を送信しない場合、あるいは、当該移動局が、規制状態のうち、変更があっても基地局がページング信号を送信しない規制状態で規制される装置の場合は、ユーザデータの送信時にユーザデータ処理部１７２からの要求を受けて、報知情報抽出部１７４は、受信信号からの報知情報の抽出を行う。
【００４１】
周辺セル情報記憶部１７５は、周辺セル情報を記憶する。なお、この周辺セル情報には、セルサーチに必要な情報である、周辺セル各々のセルＩＤ、周波数に加え、周辺セル各々の規制状態を示す情報を含む。また、この周辺セル情報には、在圏中のセルとは異なるＲＡＴのセルに関する情報も含まれる。
【００４２】
セルサーチ処理部１７６は、ユーザデータ処理部１７２からセルサーチを要求されると、周辺セル情報記憶部１７５が記憶する規制状態を示す情報に基づき選択した周辺セルを対象とするセルサーチを行う。具体的には、セルサーチ処理部１７６は、まず、周辺セル情報記憶部１７５から周辺セル各々の規制状態を示す情報を読み出す。そして、セルサーチ処理部１７６は、周辺セル各々の規制状態を示す情報と、ユーザデータ処理部１７２から取得した規制対象情報とを照合し、ユーザデータ処理部１７２が行う送信が規制対象とならない周辺セルを、セルサーチの対象として選択する。セルサーチ処理部１７６は、選択した周辺セル各々のセルＩＤ、周波数を周辺セル情報記憶部１７５から読み出す。セルサーチ処理部１７６は、これらの情報に基づき受信部１７８を制御して、セルサーチを行う。
【００４３】
セル選択処理部１７７（セル選択部）は、セルサーチ処理部１７６のセルサーチの結果に基づき、例えば、最も受信品質の良いセルを、移動先のセルとして決定する。セル選択処理部１７７は、移動先のセルのＲＡＴを受信部１７８と送信部１７９に通知する。そして、セル選択処理部１７７は、移動先のセルに対する位置登録要求を、送信させるために送信部１７９に出力する。セル選択処理部１７７は、該位置登録が完了すると、ユーザデータ処理部１７２に対して、ユーザデータ送信の再開を指示する。また、報知情報抽出部１７４に在圏するセルが更新されたことを通知する。
【００４４】
受信部１７８は、基地局装置（ここでは、ｅＮＢ１０２ａ、１０２ｂ、ＮｏｄｅＢ１０６ａ、１０６ｂ）が送信した受信をする。なお、受信部１７８は、受信した信号に対して、セル選択処理部１７７から通知されたＲＡＴに応じた処理を行う。送信部１７９は、ユーザデータ処理部１７２が出力したユーザデータを、基地局装置（ここでは、ｅＮＢ１０２ａ、１０２ｂ、ＮｏｄｅＢ１０６ａ、１０６ｂ）に送信する。なお、送信部１７９は、ユーザデータに対して、セル選択処理部１７７から通知されたＲＡＴに応じた処理を行い、送信する信号を生成する。
【００４５】
図５は、報知情報における周辺セル情報のフォーマット例を示す図である。図５に示す例は、３ＧＰＰ  ＴＳ３６．３１１  Ｖ１０．１．０からの抜粋であり、Ｅ−ＵＴＲＡＮのＳｙｓｔｅｍＩｎｆｏｒｍａｔｉｏｎＢｌｏｃｋＴｙｐｅ４である。図５に示すフォーマット例では、ｉｎｒａＦｒｅｑＮｅｉｇｈＣｅｌｌＬｉｓｔは、同一周波数の周辺セルの周辺セル情報のリストである。そして、ｉｎｒａＦｒｅｑＮｅｉｇｈＣｅｌｌＬｉｓｔは、ＩｎｔｒａＦｒｅｑＮｅｉｇｈＣｅｌｌＩｎｆｏ型の配列になっており、各ＩｎｔｒａＦｒｅｑＮｅｉｇｈＣｅｌｌＩｎｆｏ型は、セルＩＤであるｐｈｙｓＣｅｌｌＩｄを含んでいる。本実施形態では、このＩｎｔｒａＦｒｅｑＮｅｉｇｈＣｅｌｌＩｎｆｏ型に、規制状態を示す情報を含める。
【００４６】
図６は、ＩｎｔｒａＦｒｅｑＮｅｉｇｈＣｅｌｌＩｎｆｏ型に含める規制状態を示す情報のフォーマット例を示す図である。また、図７は、ＩｎｔｒａＦｒｅｑＮｅｉｇｈＣｅｌｌＩｎｆｏ型に含める規制状態を示す情報の別のフォーマット例を示す図である。図８は、図６、図７中のＡＣ−ＢＡＲＲＩＮＧＣｏｎｆｉｇ型を示したものである。以上をまとめると、図９に示すように周辺セル情報のＩｎｔｒａＦｒｅｑＮｅｉｇｈＣｅｌｌＩｎｆｏ型にＡＣ−ＢＡＲＲＩＮＧＩｎｆｏ型およびＬａｔｅＮｏｎＣｒｉｔｅｃａｌＥｘｔｅｎｓｉｏｎ型を含めることにより、周辺セル情報にそれらのセルの規制状態を含めることが可能となる。
なお、ここでは同一周波数の周辺セルの場合を示したが、周波数の異なる周辺セル（Inter-Frequency）や、ＵＴＲＡＮなどＲＡＴの異なる周辺セルについても同様に、周辺セル情報を記載するフォーマットが規定されているので、規制状態を示す情報を同様にして挿入する。
【００４７】
図１０は、通信システム１００の動作を説明するシーケンス図である。図１０に示すシーケンス図は、ｅＮＢ１０２ａにおいて規制状態が変わったときの動作例を示す。ｅＮＢ１０２ａにおいて規制が発生すると（Ｓａ１）、ｅＮＢ１０２ａの規制管理部１２５は、通信部１２０を介して、発生した規制状態を示す規制情報変更を、ＭＭＥ１０１とＸ２インターフェースで通信できる周辺セル（ｅＮＢ１０２ｂ）とに送信する（Ｓａ２−１、Ｓａ２−２）。ＭＭＥ１０１は、この規制情報変更をＳＧＳＮ１０３に転送する。ＳＧＳＮ１０３は、ＲＮＣ１０５ａ、１０５ｂに転送する。ＲＮＣ１０５ａ、１０５ｂは、それぞれＮｏｄｅＢ１０６ａ、１０６ｂに転送する（Ｓａ２−１）。
【００４８】
この規制情報更新を受信した各基地局（ｅＮＢ１０２ｂ、ＮｏｄｅＢ１０６ａ、１０６ｂ）の周辺セル管理部１２２は、この規制情報更新に従い、周辺セル情報記憶部１２１が記憶するｅＮＢ１０２ａの周辺セル情報の規制状態を示す情報を変更する（Ｓａ３−１、Ｓａ３−２）。そして、周辺セル管理部１２２は、その応答として、規制情報変更応答を逆の経路で送信する（Ｓａ４−１、Ｓａ４−２）。また、各基地局（ｅＮＢ１０２ｂ、ＮｏｄｅＢ１０６ａ、１０６ｂ）の報知情報生成部１２４は、更新された規制状態を示す情報を含む報知情報を生成し、それぞれの無線送信部（ＬＴＥ−Ａ無線送信部１２８、ＷＣＤＭＡ無線送信部１６８）から送信する（Ｓａ５−１、Ｓａ５−２）。
【００４９】
次に、ｅＮＢ１０２ａにおける規制が解除されると（Ｓａ６）、ｅＮＢ１０２ａの規制管理部１２５は、通信部１２０を介して、規制状が解除された状態を示す規制情報変更を、ＭＭＥ１０１とＸ２インターフェースで通信できる周辺セル（ｅＮＢ１０２ｂ）とに送信する（Ｓａ７−１、Ｓａ７−２）。ＭＭＥ１０１は、この規制情報変更をＳＧＳＮ１０３に転送する。ＳＧＳＮ１０３は、ＲＮＣ１０５ａ、１０５ｂに転送する。ＲＮＣ１０５ａ、１０５ｂは、それぞれＮｏｄｅＢ１０６ａ、１０６ｂに転送する（Ｓａ７−１）。
【００５０】
この規制情報更新を受信した各基地局（ｅＮＢ１０２ｂ、ＮｏｄｅＢ１０６ａ、１０６ｂ）の周辺セル管理部１２２は、この規制情報更新に従い、周辺セル情報記憶部１２１が記憶するｅＮＢ１０２ａの周辺セル情報の規制状態を示す情報を変更する（Ｓａ８−１、Ｓａ８−２）。すなわち、規制が解除されていることを示す情報に変更する。そして、周辺セル管理部１２２は、その応答として、規制情報変更応答を逆の経路で送信する（Ｓａ９−１、Ｓａ９−２）。また、各基地局（ｅＮＢ１０２ｂ、ＮｏｄｅＢ１０６ａ、１０６ｂ）の報知情報生成部１２４は、規制が解除されていることを示す情報を含む報知情報を生成し、それぞれの無線送信部（ＬＴＥ−Ａ無線送信部１２８、ＷＣＤＭＡ無線送信部１６８）から送信する（Ｓａ１０−１、Ｓａ１０−２）。
【００５１】
図１１は、通信システム１００の動作を説明する別のシーケンス図である。図１１に示すシーケンス図は、ＵＥ１０７がパケット送信を行うときの動作例を示す。まず、ｅＮＢ１０２ａ、１０２ｂともに、そのセルＣＥａ、ＣＥｂでは、アクセスクラスによる規制が発生している（Ｓｂ１−１、Ｓｂ１−２）。また、ＵＥ１０７は、ｅＮＢ１０２ａのセルＣＥａに在圏している（Ｓｂ２）。ｅＮＢ１０２ａ、１０２ｂ、ＮｏｄｅＢ１０６ａ、１０６ｂは報知情報を送信している（Ｓｂ３−１、Ｓｂ３−２、Ｓｂ３−３、Ｓｂ３−４）。このとき、ｅＮＢ１０２ａの報知情報は、セルＣＥｂにおいて規制が発生していること示す周辺情報を含んでいる。ｅＮＢ１０２ｂの報知情報は、セルＣＥａにおいて規制が発生していること示す周辺情報を含んでいる。ＮｏｄｅＢ１０６ａ、１０６ｂの報知情報は、セルＣＥａ、ＣＥｂにおいて規制が発生していること示す周辺情報を含んでいる。
【００５２】
このような状態のときに、ＵＥ１０７のアプリ処理部１７１がＥメール（パケット）の送信を行う（Ｓｂ４）。ＵＥ１０７のユーザデータ処理部１７２は、このＥメールを送信するためのユーザデータをアプリ処理部１７１から取得する。次に、ＵＥ１０７の報知情報抽出部１７４は、受信部１７８を介して、在圏中のセルＣＥａ（ｅＮＢ１０２ａ）に関する報知情報を受信する（Ｓｂ５）。報知情報抽出部１７４は、該報知情報から周辺セル情報を抽出して、周辺セル情報記憶部１７５に記憶させる。また、報知情報抽出部１７４は、該報知情報から在圏中のセルＣＥａの規制状態を示す情報を抽出し、規制状態管理部１７０に通知する。なお、ここでは、規制状態に変更があってもページング信号が送信されない場合を例にしている。規制状態に変更があったときは、ページング信号が送信される場合は、報知情報の受信はページング信号にて通知されたときのみでよい。この場合、周辺セル情報記憶部１７５および規制状態管理部１７０が記憶する各セルの規制状態は最新のものであるので、ユーザデータ送信時には、これらの情報を用いて以下の判定を行う。
【００５３】
ユーザデータ処理部１７２は、在圏中のセルであるセルＣＥａの規制状態を示す情報を、規制状態管理部１７０から取得し、Ｅメールの送信が可能か否かを判定する。ここでは、ＵＥ１０７が、セルＣＥａにおけるアクセスクラスによる規制の対象となっているとする。そのため、ユーザデータ処理部１７２は、Ｅメールの送信は不可（アクセス不可）と判断する（Ｓｂ６）。次に、ユーザデータ処理部１７２は、セルサーチ処理部１７６にセルサーチを要求する。セルサーチ処理部１７６は、周辺セル情報記憶部１７５が記憶する周辺セル情報を参照し、ｅＮＢ１０２ｂのセルＣＥｂは、その規制状態からアクセス不可であり、ＮｏｄｅＢ１０６ａ、１０６ｂのセルＣＵａ、ＣＵｂは、規制なしであり、アクセス可と判定する（Ｓｂ７）。
【００５４】
セルサーチ処理部１７６は、アクセス可と判定したセルＣＵａ、ＣＵｂを対象として、セルサーチ（受信品質の測定）を行う。セル選択処理部１７７は、セルサーチの結果を比較し、受信品質が良い方のセル（ここでは、セルＣＵａ）を選択する（Ｓｂ８）。セル選択処理部１７７は、選択したセルＣＵａの基地局であるＮｏｄｅＢ１０６ａに対する位置登録要求信号を、送信部１７９を介して送信する（Ｓｂ８）。なお、この送信の前に、セル選択処理部１７７はセルＣＵａのＲＡＴであるＷ−ＣＤＭＡを送信部１７９および受信部１７８に指定する。また、位置登録要求として、Ｒｏｕｔｉｎｇ  Ａｒｅａ  Ｕｐｄａｔｅを用いる。
【００５５】
これは、Ｅメール（パケット）の送信であったので、Ｅ−ＵＴＲＡのセルであるセルＣＥａからＵＴＲＡＮのセルであるセルＣＵａのパケット交換ドメインへの移動であったからである。Ｅ−ＵＴＲＡのセルへの移動であれば、位置登録要求として、Ｔｒａｃｋｉｎｇ  Ａｒｅａ  Ｕｐｄａｔｅを用いる。また、ＵＴＲＡＮセルのＰＳ／ＣＳ  Ｃｏｍｂｉｎｅｄへの移動であれば、Ｒｏｕｔｉｎｇ  Ａｒｅａ  Ｕｐｄａｔｅを用い、ＵＴＲＡＮセルのパケット交換ドメインへの移動であれば、Ｌｏｃａｔｉｏｎ  Ｕｐｄａｔｅとなる。
【００５６】
ＷＣＤＭＡ無線受信部１６９を介して、この位置登録要求信号を受けたＮｏｄｅＢ１０６ａの位置登録処理部１２６は、通信部１６０を介して、ＲＮＣ１０５ａに位置登録要求信号を転送する。また、通信部１６０を介して、位置登録要求信号に対する応答である位置登録応答信号をＲＮＣ１０５ａから受けると、位置登録処理部１２６は、ＷＣＤＭＡ無線送信部１６８を介してＵＥ１０７に転送する（Ｓｂ１０）。ＵＥ１０７のセル選択処理部１７７は、受信部１７８を介して、この位置登録応答信号を受けると、位置登録完了信号を、送信部１７９を介してＮｏｄｅＢ１０６に送信する（Ｓｂ１１）。
【００５７】
これにより、ＵＥ１０７は、セルＣＵａに在圏中となるので、セル選択処理部１７７は、ユーザデータ処理部１７２にユーザデータ送信の再開を指示する。該指示を受けたユーザデータ処理部１７２は、Ｅメールを送信するためのユーザデータを、送信部１７９に出力して、ＮｏｄｅＢ１０６に送信させる（Ｓｂ１２）。
【００５８】
なお、図１１では、ＵＥ１０７からのＥメールの送信をトリガとして、周辺セルへ遷移するシーケンスを示した。ｅＮＢ１０２から報知情報更新のページング信号が通知されるなどして、報知情報を受信し、在圏中のセルの規制を検出したことをトリガとして、シーケンスＳｂ７以降のシーケンスを行うようにしてもよい。
【００５９】
このように、移動局側にて、各周辺セルの規制状態に基づき選択した周辺セルを対象とするセルサーチを行い、移動先のセルを決定するので、基地局側にかかる負荷を抑えつつ、輻輳を回避するための処理を行うことができる。このとき、セルサーチの対象とする周辺セルと、該周辺セルの規制状態に基づき選択しているので、移動先で規制されてしまうことを防ぐことができる。
【００６０】
また、図１におけるＭＭＥ１０１、ｅＮＢ１０２ａ、ＳＧＳＮ１０３、ＭＳＣ／ＶＬＲ１０４、ＲＮＣ１０５ａ、ＮｏｄｅＢ１０６ａ、ＵＥ１０７の一部、または全部を典型的には、集積回路であるＬＳＩとして実現してもよい。ＭＭＥ１０１、ｅＮＢ１０２ａ、ＳＧＳＮ１０３、ＭＳＣ／ＶＬＲ１０４、ＲＮＣ１０５ａ、ＮｏｄｅＢ１０６ａ、ＵＥ１０７の各機能ブロックは個別にチップ化してもよいし、一部、または全部を集積してチップ化してもよい。また、集積回路化の手法はＬＳＩに限らず、専用回路、または汎用プロセッサで実現しても良い。ハイブリッド、モノリシックのいずれでも良い。一部は、ハードウェアにより、一部はソフトウェアにより機能を実現させても良い。
また、半導体技術の進歩により、ＬＳＩに代替する集積回路化等の技術が出現した場合、当該技術による集積回路を用いることも可能である。
【００６１】
また、図１におけるＭＭＥ１０１、ｅＮＢ１０２ａ、ＳＧＳＮ１０３、ＭＳＣ／ＶＬＲ１０４、ＲＮＣ１０５ａ、ＮｏｄｅＢ１０６ａ、ＵＥ１０７各々の機能あるいは各々の一部の機能を実現するためのプログラムをコンピュータ読み取り可能な記録媒体に記録して、この記録媒体に記録されたプログラムをコンピュータシステムに読み込ませ、実行することにより、これらの装置を実現してもよい。なお、ここでいう「コンピュータシステム」とは、ＯＳや周辺機器等のハードウェアを含むものとする。
【００６２】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００６３】
以上、この発明の実施形態を図面を参照して詳述してきたが、具体的な構成はこの実施形態に限られるものではなく、この発明の要旨を逸脱しない範囲の設計変更等も含まれる。
【符号の説明】
【００６４】
１００…通信システム
１０１…ＭＭＥ
１０２ａ、１０２ｂ…ｅＮＢ
１０３…ＳＧＳＮ
１０４…ＭＳＣ／ＶＬＲ
１０５ａ、１０５ｂ…ＲＮＣ
１０６ａ、１０６ｂ…ＮｏｄｅＢ
１０７…ＵＥ
１２０、１６０…通信部
１２１…周辺セル情報記憶部
１２２…周辺セル管理部
１２３…ページング信号生成部
１２４…報知情報生成部
１２５、１６５…規制管理部
１２６、１６６…位置登録処理部
１２７…ユーザデータ転送部
１２８…ＬＴＥ−Ａ無線送信部
１２９…ＬＴＥ−Ａ無線受信部
１６８…ＷＣＤＭＡ無線送信部
１６９…ＷＣＤＭＡ無線受信部
１７０…規制状態管理部
１７１…アプリ処理部
１７２…ユーザデータ処理部
１７３…ページング検出部
１７４…報知情報抽出部
１７５…周辺セル情報記憶部
１７６…セルサーチ処理部
１７７…セル選択処理部
１７８…受信部
１７９…送信部
【図１】
2014011548.tif 000003
【図２】
2014011548.tif 000004
【図３】
2014011548.tif 000005
【図４】
2014011548.tif 000006
【図５】
2014011548.tif 000007
【図６】
2014011548.tif 000008
【図７】
2014011548.tif 000009
【図８】
2014011548.tif 000010
【図９】
2014011548.tif 000011
【図１０】
2014011548.tif 000012
【図１１】
2014011548.tif 000013